(57)【特許請求の範囲】
【請求項１】
車椅子の本体フレームが、折り畳み可能なＸフレームを介して左右対照的に相対して配設されたサイドフレームと、該サイドフレームの前端部に折り畳み機構を介して足載置部を備えたフロントフレームと、左右のサイドフレームに後車輪と左右のフロントフレーム寄りに前輪が軸着され、回動可能なアームレストと、上端部に把持部を有し下端部に後車輪の軸受け部が設けられたリアパイプと、よりなる車椅子において、前記後車輪の軸受け部に座部の高さよりも低い小車輪、あるいはハンドリムが設けられた大車輪を着設することが可能な車椅子であって、
下縁前端部にロック片が固着された前記アームレストと、該アームレストの前記ロック片が進入するロック孔を有するロック機構を備えた支持フレームを前記サイドフレームの外側に配設し、前記アームレストの上縁後端部を下方に延設するとともに、下方に延設された下端部をアームレストの回動支点とし、該アームレストの回動支点が、車椅子の前記サイドフレームの背部側であって且つ前記座部の高さよりも低い位置に枢着したことを特徴とする車椅子。
【請求項２】
車椅子の本体フレームが、折り畳み可能なＸフレームを介して左右対照的に相対して配設されたサイドフレームと、該左右のサイドフレームのそれぞれ前端部に折り畳み機構を介して足載置部を備えたフロントフレームと、左右のサイドフレームに後車輪と左右のフロントフレーム寄りに前輪が軸着され、回動可能なアームレストと、上端部に把持部を有し下端部に後車輪の軸受け部が設けられたリアパイプと、よりなる車椅子において、前記後車輪の軸受け部に座部の高さよりも低い小車輪、あるいはハンドリムが設けられた大車輪を着設することが可能な車椅子であって、
前記アームレストを、前記サイドフレームの外側に配設すべく、前記サイドフレームの外側に前記アームレストを支持する支持フレームを設け、さらに前記アームレストの上縁後端部に連結部材を延設し、該連結部材を下方に延設させつつ、前記サイドフレーム方向に屈曲形成させて、前記本体フレームの背部を構成するリアパイプ上であって且つ前記座部の高さよりも低い位置に枢着したことを特徴とする車椅子。
【発明の詳細な説明】
【０００１】
【発明の属する技術分野】
本発明は、車椅子のアームレストを上方に回動可能とした車椅子に関するものである。
【０００２】
【従来の技術】
従来より、アームレストが上方に回動可能な介護者専用車椅子として、種々のものが提案されているが、その中でも、一般的には、図４に示すように、座部１の両側にアームレスト２を上方に回動可能に取り付けた構成であって、前記アームレスト２の後端部が、車椅子の本体フレーム３の側部であって、且つ、前記座部１の後縁端部に枢着された車椅子が提案されている。
【０００３】
【発明が解決しようとする課題】
しかしながら、このような従来の車椅子では、アームレスト２の回転支点が、車椅子の本体フレーム３の側部であって且つ、前記座部１の後縁端部にあるため、アームレスト２を水平使用状態から上方に回動させると、図４に示すように、アームレストは、車輪４に当接して止まるとともに本体フレーム３の側方から撤去される。すると、アームレスト２の前縁フレーム２ａ部が、押し手５に近接してしまう。このように、押し手５と上方に回動されたアームレスト２の前縁フレーム２ａが近接すると、介護者が、押し手５に設けられたブレーキ操作部６を握る際に、間違えてアームレスト２の前縁フレーム２ａを握ってしまうという問題があり、特に、緊急時などは、介護者が慌てているため、間違えてアームレスト２の前縁フレーム２ａを握ってしまい、車椅子を制動させることができず、取り返しのつかない事故を起こしてしまうという問題がよく発生した。
【０００４】
また、上述したように、アームレスト２を車椅子の側方から上方に完全に撤去させると前記アームレスト２が後車輪４に干渉してしまうため、この状態では、車椅子の操作を行うことができないという問題もあった。
【０００５】
そこで、本発明は、このような従来の技術に存在する問題点に着目してなされたものであり、その目的は、アームレストを上方に回動させた状態でも、介護者が押し手に設けられたブレーキ操作部と握り間違えることなく、確実にブレーキ操作を行うことができるとともに、アームレストを上方に回動させて車椅子の側方から撤去した状態でも、アームレストが後車輪に干渉することなく、自在に車椅子を動かすことができる車椅子を提供することである。
【０００６】
【課題を解決するための手段】
以上を解決するために、本各発明の採った手段は、実施形態において使用する符号を付して説明すると、請求項１記載の車椅子は、座部３０の少なくとも一方の側部に水平使用状態から上方に回動可能なアームレスト１０を備えた車椅子１００を前提とするものであって、前記アームレスト１０の上縁後端部が、車椅子の本体フレーム２０の背部側であって且つ前記座部３０の高さよりも低い位置に枢着されていることをその要旨とした。
【０００７】
次に、請求項２に記載の車椅子は、座部３０の少なくとも一方の側部に水平使用状態から上方に回動可能なアームレスト１０を備えた車椅子１００を前提とするものであって、前記アームレスト１０を、車椅子の本体フレーム１０の外側に配設すべく、前記本体フレーム２０の外側に前記アームレスト１０を支持する支持フレーム４０を設け、さらに前記アームレスト１０の上縁後端部を下方に延設させつつ前記本体フレーム方向に屈曲させるとともに、前記本体フレーム２０の背部側であって且つ前記座部３０の高さよりも低い位置に枢着したことをその要旨とした。
【０００８】
最後に請求項３記載の車椅子は、請求項１又は２記載の車椅子を構成するアームレスト１０を、車椅子の本体フレーム２０にロック可能にしたことをその要旨とした。
【０００９】
【発明の実施の形態】
本発明に係る車椅子の実施の形態を説明するが、これは代表的な例を示したものであり、その要旨を超えない限り、以下の実施例により本発明が限定されるものではない。
【００１０】
まず、図１〜図３は、本発明にかかる車椅子１００の実施例を示した側面図である。
【００１１】
これらの図に示すように、車椅子１００は、座部の少なくとも一方の側部に水平使用状態から上方に回動可能なアームレスト１０を備えた車椅子１００を前提とするものであって、前記アームレスト１０の上縁後端部が、車椅子１００の本体フレーム２０の背部側であって且つ前記座部３０の高さよりも低い位置に枢着されているものである。
【００１２】
前記本体フレーム２０は、折り畳み可能なＸフレームを介して左右対称的に形成されて相対して配設されたサイドフレーム２１を有し、左右のサイドフレーム２１は、それぞれ前端部に折畳機構を介して足載置部を備えたフロントフレーム２２が連結されている。また、左右のサイドフレームには、それぞれ後車輪２３が軸着されており、左右のフロントフレーム２２寄りには、前輪２４が軸着されている。尚、以下の図に関する説明は、車椅子の右側部分について説明し、対称的な左側部分については、説明を省略する。
【００１３】
前記サイドフレーム２１は、前後方向に延びるとともに、上下に平行に配置されたサイドパイプ２５、２６と、これらを連結して略垂直方向に延びるリアパイプ２７、ジョイントパイプ２８とを主体として構成されている。そして、前記サイドパイプ２５における座部３０方向とは反対方向の外側には、後述するアームレスト１０が支持されるべく、前記サイドパイプ２５と平行に隣接するようにジョイントパイプ２９を介して支持フレーム４０が配設されている。このように、支持フレーム４０をサイドパイプ２５の外側にこれと平行に隣接することにより、アームレスト１０を水平使用状態にて確実に保持されるため、患者が、車椅子から立ち上がる際に、アームレスト１０を支えとして立ち上がることが可能となる。尚、本実施例では、支持フレーム４０を、サイドパイプ２５の真横付近に設けた例を示したが、これに限定されることはなく、本体フレーム２０の外側であってアームレスト１０を水平使用状態にしたときに支持できる構成であればどのような構成でもよい。
【００１４】
前記リアパイプ２７の上端部は、屈曲形成された把手部４１が設けられており、把手部４１には、ブレーキ操作部４２が設けられており、このブレーキ操作部４２には、操作ワイヤ４３を介して図示しないブレーキ片が設けられている。また、左右の前記サイドブレーキ２１を構成するそれぞれのサイドパイプ２５には、座部３０が張設されている。さらに、リアパイプ２７は、折曲機構５０を介して途中で車椅子を後方に折り曲げることができるように構成されている。しかも、リアパイプ２７の下端部には、後車輪２３を回転自在に支持する軸受け部５２が上下に２箇所設けられている。よって自力で走行が不可能な利用者の場合は、両側の後車輪２３を座部３０の高さよりも低い小車輪を軸受け部５２の下部に軸着させれば、小回りの利く介護者専用の車椅子とすることができる。また、車椅子の利用者が、リハビリ等により、自力で操作可能まで回復した場合には、自力で操作できるハンドリムが設けられた大車輪を軸受け部５２の上部に軸着して使用することも可能である。
【００１５】
また、後車輪のうちの一方を座部の高さよりも低い小車輪を軸受け部５２の下部に軸着し、他方を自力で操作できるようにハンドリムを設けた大車輪を軸受け部５２の上部に軸着すれば、片麻痺患者用車椅子とすることができる。これによれば、片麻痺患者であっても、健側の手でハンドリムが設けられた大車輪を操作すれば、自力で走行することができるとともに、麻痺している側には、座部の高さよりも低い小車輪が軸着されているので、アームレストを上方に撤去させれば、車椅子の側方から乗り降りができるため、車椅子からベッド、ソファーまたはトイレ等への移乗を容易に行うことができる。
【００１６】
アームレスト１０は、遮板が張設されたロの字形フレームから構成されているため、強度性も高く、車椅子を使用する患者は、安定して支持される。そして、アームレスト１０は、上縁後端部から下方に延設されつつ、本体フレーム２０方向に屈曲形成された連結部材１１が設けられている。そして、前記連結部材１１の下端部は、本体フレーム２０の背部部分を構成するリアパイプ２７であって且つ、座部３０よりも低い位置に枢着されている。そして、枢着部分は、ブラケット等の一周知技術により、上方に約９０度回動した状態で止まるように構成されている。このように、アームレスト１０の回動支点を座部３０より低い位置にしたことにより、アームレスト１０を水平使用状態から上方に回動させた際に、アームレスト１０の前縁フレーム１２と把手部２７とに所定間隔が形成されるため、介護者は、ブレーキ操作を誤操作することなく確実に行える。
【００１７】
また、アームレスト１０の下縁前端部には、ロック孔が形成されたロック片１３が固着されている。そして、支持フレーム４０の前端部には、スプリング等により付勢されて進退自在に設けられたスプリングピンを備えたロック機構５１が取り付けられている。アームレスト１０を水平使用状態していくと、ロック機構５１に設けられたスプリングピンがロック片１３に押し下げられつつ、ロック孔でその押し下げが解除され、付勢力によりスプリングピンは、ロック孔内に進入して完全にロックされる。これに対して、アームレスト１０を側方から撤去する場合は、ロック機構５１に設けられた操作レバー５１ａを所定の方向に移動させて、ロック孔からスプリングピンを後退させれば、ロック状態が解除され、アームレスト１０は上方に回動可能となる。これにより、車椅子の利用者がベット等に移動する際に、わざわざ車椅子から立ち上がって移動する必要がなく、車椅子の側方から容易にベット等に移動することができる。
【００１８】
次に、アームレスト１０がリアパイプ２７に枢着された状態を、図２に基づいて説明すると、上述したように、アームレスト１０は、サイドパイプ２５に平行に隣接された支持フレーム４０上に支持されているため、アームレスト１０を構成する上縁後端部から延設された連結部材１１は、車椅子の後方から視てリアパイプ２７と重なるように車椅子の内方へ屈曲形成されている。これを、図１の側面図に基づいて説明すると、連結部材１１は、リアパイプ２７に近接しつつ略平行に配設されているのである。このように、アームレスト１０の上縁後端部から延設された連結部材１１を、リアパイプ２７側である車椅子の中心方向に屈曲形成させて枢着点をリアパイプ２７上にしたことにより、アームレスト１０を車椅子の側方から完全撤去した状態でも、後車輪２３と干渉するこがない。換言するならば、アームレスト１０の回動支点が、軸着された後車輪２３の内側に位置しているので、アームレストを上方に回動させても、後車輪２３に干渉することはない。このように、アームレスト１０を車椅子の側方から撤去することにより、車椅子の利用者がベット等に移動する際に、わざわざ車椅子から立ち上がって移動する必要がなく、車椅子の側方から容易にベット等に移動することができる。
【００１９】
以上のような構成からなる車椅子１００の実施形態によって発揮される効果について、以下説明する。
（１）  上記実施形態における車椅子１００においては、アームレスト１０の回動支点を座部３０より低い位置にしたことにより、アームレストを水平使用状態から上方に回動させた際に、アームレスト１０の前縁フレーム１２と把手部４１とに所定間隔が形成されるため、介護者は、急にブレーキをかける必要があるときでも、ブレーキ操作を誤操作することなく確実に操作するできる。
（２）  上記実施形態における車椅子１００においては、サイドパイプ２５における座部３０方向とは反対方向の外側であって、これと平行に隣接するように支持フレーム４０を設けたことにより、アームレスト１０を支持フレーム４０上に確実に支持することができる。よって、患者が、アームレスト１０を支えとして車椅子から立ち上がることができる。
（３）  上記実施形態における車椅子１００においては、アームレスト１０の上縁後端部から延設された連結部材１１の枢着点を、リアパイプ２７側である車椅子の中心方向に屈曲形成させてリアパイプ２７上にしたことにより、アームレスト１０を車椅子の側方から完全撤去した状態でも、後車輪２３と干渉することがない。これにより、介護者等はアームレスト１０を撤去した状態のままで車椅子を動かすことができる。
（４）上記実施形態における車椅子１００においては、アームレスト１０の形状をロの字形状としたことにより、強度性を高めることができるため、利用者を安定して支持することができる。
（５）上記実施形態における車椅子１００においては、アームレスト１０は水平使用状態でロックされているので、車椅子を移動させる際に、アームレスト１０を手で持って車椅子を持ち上げて移動させることができる。
（６）  上記実施形態における車椅子１００においては、後車輪２３を回転自在に支持する軸受け部５２が複数設けられ、後車輪が脱着自在に構成されているため、利用者の症状に応じて車輪のサイズ等を変更することができる。
【００２０】
ところで、本発明は、上述した実施例に限定されるものではなく、本発明の目的を達成できる範囲内での改良、変形等は本発明に含まれるものである。上述した実施例では、支持フレーム４０は、ジョイントパイプ２９を介して下部のサイドフレーム２６に固着されているが、これに限定されることはなく、例えば、サイドパイプを幅広のパイプ、つまりアームレストを保持できるスペースを確保すべく、サイドパイプ２５の長手方向と直交する方向を幅広に形成してもよい。
【００２１】
また、本実施例においては、車輪のサイズを自在に変更できるように、リアパイプ２７に軸受け部５２を２箇所設けた例を示したが、これに限定されることなく、例えば、患者の病状に応じて詳細に調整できるように、複数の軸受け部５２を設けてもよい。
【００２２】
【発明の効果】
以上のように、請求項１記載の車椅子については、座部の少なくとも一方の側部に水平使用状態から上方に回動可能なアームレストを備えた車椅子において、前記アームレストの後下端部が、車椅子の本体フレームの背部側であって且つ前記座部の高さよりも低い位置に枢着されているため、アームレストを水平使用状態から上方に回動させた際に、アームレストの前縁フレームと把手部とに所定間隔が形成されるため、介護者は、急にブレーキをかける必要があるときでも、ブレーキ操作を誤操作することなく確実に操作するできる。
【００２３】
次に、請求項２記載の車椅子については、座部の少なくとも一方の側部に水平使用状態から上方に回動可能なアームレストを備えた車椅子において、前記アームレストを、車椅子の本体フレームの外側に配設すべく、前記本体フレームの外側に前記アームレストを支持する支持フレームを設け、さらに前記アームレストの上縁後端部を下方に延設させつつ前記本体フレーム方向に屈曲させるとともに、前記本体フレームの背部側であって且つ前記座部の高さよりも低い位置に枢着したものである。これによれば、アームレストを水平使用状態から上方に回動させた際に、アームレストの前縁フレームと把手部とに所定間隔が形成されるため、介護者は、急にブレーキをかける必要があるときでも、ブレーキ操作を誤操作することなく確実に操作するでき、さらに、アームレストを車椅子の側方から完全撤去した状態でも、後車輪と干渉することがないため、介護者等はアームレストを撤去した状態のままで車椅子を動かすことができる。
【００２４】
最後に、請求項３記載の車椅子は、請求項１または２記載の車椅子を構成するアームレストの前下端部を、車椅子の本体フレームにロック可能にしたことにより、請求項１又は２記載の発明が奏する効果は勿論のこと、さらに車椅子を移動させる際に、アームレストを手で持って車椅子を持ち上げて移動させることができる。
【図面の簡単な説明】
【図１】本発明にかかる車椅子を示す側面図である。
【図２】本発明にかかる車椅子を示す背面図である。
【図３】本発明にかかる車椅子を示す正面図である。
【図４】従来の車椅子を示す側面図である。
【符号の説明】
１０    アームレスト
１１    連結部材
１２    前縁フレーム
１３    ロック片
１４    遮板
２０    本体フレーム
２１    サイドフレーム
２２    フロントフレーム
２３    後車輪
２４    前輪
２５    サイドパイプ
２６    サイドパイプ
２７    リアパイプ
２８    ジョイントパイプ
２９    ジョイントパイプ
３０    座部
４０    支持フレーム
４１    把手部
４２    ブレーキ操作部
４３    操作ワイヤ
５０    折曲機構
５１    ロック機構
５２    軸受け部
１００    車椅子
【図１】
0004340816.tif 000002
【図２】
0004340816.tif 000003
【図３】
0004340816.tif 000004
【図４】
0004340816.tif 000005